(57)【要約】【課題】本発明の課題は、携帯用集塵丸鋸において刃先の視認性を良好にさせ、作業性の向上を図ることである。【解決手段】被切断材を切断する鋸刃と、該鋸刃を駆動するための電動機を内蔵する本体と、本体下方に取り付けられたベースであって、鋸刃下方が該ベース下面より突出するように設けられたベースと、前記鋸刃のベース上面部をほぼ覆うソーカバーとを備えた携帯用集塵丸鋸において、前記ソーカバーの壁部に取り付けられた支持カバーと、該支持カバーに保持される照明装置と、前記鋸刃と前記照明装置との間に位置する透明部材を有し、前記照明装置の照射光が前記透明部材を通して前記鋸刃の刃先を照らすように構成した。【選択図】図１
2004268598.tif 000002
【特許請求の範囲】
【請求項１】
被切断材を切断する鋸刃と、該鋸刃を駆動するための電動機を内蔵する本体と、本体下方に取り付けられたベースであって、鋸刃下方が該ベース下面より突出するように設けられたベースと、前記鋸刃のベース上面部をほぼ覆うソーカバーとを備えた携帯用集塵丸鋸において、前記ソーカバーの壁部に取り付けられた支持カバーと、該支持カバーに保持される照明装置と、前記鋸刃と前記照明装置との間に位置する透明部材を有し、前記照明装置の照射光が前記透明部材を通して前記鋸刃の刃先を照らすように構成したことを特徴とする携帯用集塵丸鋸。
【請求項２】
請求項１において前記照明装置を収納する収納部は前記ベース上面と交差する鋸刃の刃先付近に設けられていることを特徴とする携帯用集塵丸鋸。
【請求項３】
請求項１において前記ソーカバーは２部品で構成され、本体と反対側の部品を透明としたことを特徴とする携帯用集塵丸鋸。
【発明の詳細な説明】
【技術分野】
【０００１】
本発明は、鋸刃の刃先視認性を高めた携帯用集塵丸鋸に関するものである。
【背景技術】
【０００２】
携帯用集塵丸鋸の切断作業には、図３に示すようにガイドを利用して切断する作業方法と、図４に示すように被切断材に墨線を引き墨線上に刃先を合わせながら切断する方法等がある。
【０００３】
前者の作業方法の場合、図に示すように被切断材１の切断する位置に鋸刃２の刃先２ａを合わせ、ガイド３の案内面３ａが、被切断材の側面１ａに当接するようにガイド３を調節し固定して、その後、鋸刃２を回転させ、案内面３ａを被切断材１の側面１ａに沿わせて切断する。
【０００４】
後者の作業方法の場合、図に示すように、被切断材１に墨線４を引き、鋸刃２の刃先２ａを墨線４に合わせながら切断する。この場合、作業者の刃先を見る位置は、図４の矢印に示すように、鋸刃２に対して本体の反対側から見るようになる。
【０００５】
上記のような携帯用集塵丸鋸の切断作業においては切断作業時に刃先位置の確認が必要となるものであり、正確な切断作業するためには、刃先が見易いことが重要なことである。
【０００６】
一方、携帯用集塵丸鋸は切断時に発生する切粉が極力飛散しないように、集塵することも重要なことであり、ソーカバー５がベース６上方の鋸刃２のほぼ全体を覆うようにしている。
【０００７】
特に切粉の発生源となるベース６と交差する鋸刃２の刃先２ａ部分は、ベース６の上面部とソーカバー５により、極力隙間がないよう覆われており、このため従来の携帯用集塵丸鋸は、極力刃先２ａが見易いよう、ソーカバー５を２部品とし、作業者が一般的に刃先を見る方向、つまり鋸刃２に対し本体と反対側のソーカバー２の部分を透明にする等の工夫がなされていた。
【発明の開示】
【発明が解決しようとする課題】
【０００８】
上記したように従来の携帯用集塵丸鋸は、極力刃先が見易いように、ソーカバー５の本体の反対側全面を透明にするとか、或いは鋸刃２とベース６との交点付近の刃先２ａ部分のみを透明にする等の工夫がされているが、鋸刃２の刃先２ａがほぼ覆われているため、室内等の暗い所での作業時、或いは透明部に切粉が付着した時は刃先２ａが非常に見にくくなる。
【０００９】
そこで、この解決手段として、本体上方等からライトにより刃先２ａ付近を照らすようにした方法等があるが、ソーカバー５の外周からライトにより照らすようにした構成では、ソーカバー５の内部は暗いままであるため、ソーカバー５の透明部分に隣接するベース６等が反射することになり、ソーカバー５内の刃先２ａが見難いという不具合が発生していた。
【００１０】
本発明の目的は、上記目的を解消し、刃先の視認性を良好にさせ、作業性の向上を図ることができる携帯用集塵丸鋸を提供することである。
【課題を解決するための手段】
【００１１】
本発明の特徴は、被切断材を切断する鋸刃と、該鋸刃を駆動するための電動機を内蔵する本体と、本体下方に取り付けられたベースであって、鋸刃下方が該ベース下面より突出するように設けられたベースと、前記鋸刃のベース上面部をほぼ覆うソーカバーとを備えた携帯用集塵丸鋸において、前記ソーカバーの壁部に取り付けられた支持カバーと、該支持カバーに保持される照明装置と、前記鋸刃と前記照明装置との間に位置する透明部材を有し、前記照明装置の照射光が前記透明部材を通して前記鋸刃の刃先を照らすように構成したことにある。
【発明の効果】
【００１２】
本発明によれば、刃先の視認性を良好にさせ、作業性の向上を図ることができる携帯用集塵丸鋸を提供することができるようになる。
【発明を実施するための最良の形態】
【００１３】
本発明携帯用集塵丸鋸の一実施形態を図１及び図２を用いて説明する。なお、図１は本発明携帯用集塵丸鋸の一実施形態を示す要部断面斜視図、図２は図１のＡ−Ａ線断面図である。
【００１４】
図に示すように携帯用集塵丸鋸には、本体に取り付けられ乾電池を収納する電源部７と、電源部７と接続され内部に電線を有する変形自在な形状をした曲管８と、曲管８の先端に設けられたソケット１０と、ソケット１０に取り付けられる電球１１とからなる照明装置が設けられている。照明装置の電球１１は電源部７内の乾電池の電圧を受け駆動するようになっており、図に示すように電源部７に設けられたスイッチ７ａの操作によって電球１１への電圧の供給は制御される。
【００１５】
図に示すように曲管８は電源部７からソーカバー５まで延び、ソーカバー５に取り付けられた支持カバー９によってソーカバー５に取り付けられる。鋸刃２に対して本体側に位置するソーカバー５の壁部５ａには、前記した支持カバー９が取り付けられていると共に、ソケット１０及び電球１１を収納可能な穴部１２が設けられている。穴部１２はベース６上面と交差する鋸刃２の刃先２ａ付近に設けられ、またソーカバー５内と連通しており、このため電球１１によってソーカバー５内の鋸刃２の刃先２ａを照らすことができるようになっている。
【００１６】
なお、図２に示すように穴部１２のソーカバー５内側には透明カバー１３が設けられ、ソーカバー５内に発生した切粉が穴部１２内に侵入しないようにしている。
【００１７】
このような構成をした携帯用集塵丸鋸は、ソーカバー５の本体側から鋸刃２の刃先２ａを照らすようになるため、切断作業時に鋸刃２に対して反本体側となるソーカバー５の透明部分を見る際に、ソーカバー５の透明部分にベース６が反射して写ってしまうことを防止することができ、刃先２ａを見難くしてしまうことを防止することができる。
【００１８】
なお、ソーカバー５は２部品で構成され、作業者が一般的に刃先を見る方向の部品つまり、本体と反対側の部品１４は透明となっている。
【００１９】
上記した実施形態では、照明装置を乾電池により駆動するようにした構成としたが、モータを駆動させる電源を共用する方法等がある。
【図面の簡単な説明】
【００２０】
【図１】本発明携帯用集塵丸鋸の一実施形態を示す斜視図。
【図２】図１のＡ−Ａ線断面図。
【図３】携帯用集塵丸鋸の切断作業を示す斜視図。
【図４】携帯用集塵丸鋸の切断作業を示す斜視図。
【符号の説明】
【００２１】
１：被切断材
２：鋸刃
３：ガイド
４：墨線
５：ソーカバー
６：ベース
７：電源部
８：曲管
９：支持カバー
１０：ソケット
１１：電球
１２：穴部
１３：透明カバー
【図１】
2004268598.tif 000003
【図２】
2004268598.tif 000004
【図３】
2004268598.tif 000005
【図４】
2004268598.tif 000006